(57)【要約】【課題】便座シートペーパーと自動給紙便器の提供【解決手段】本発明は、還状の便座に乗せて使用される便座シートペーパーにおいて、前記便座シートペーパーは、前記便座に乗る還状体部と前記還状体部の還状内縁の一部から還の中心方向に延在する延在部とを備えたことを特徴とする。又、便座と当該便座を覆う便蓋と当該便蓋の内面側に自動便座シートペーパー供給手段とを備えた自動給紙便器において、  前自動便座シートペーパー供給手段は、請求項１乃至請求項７の何れかに記載の便座シートペーパーを複数枚保持し１枚ずつ供給できる手段であることを特徴とする。【選択図】図１
2006311870.tif 000002
【特許請求の範囲】
【請求項１】
還状の便座に乗せて使用される便座シートペーパーにおいて、
前記便座シートペーパーは、前記便座に乗る還状体部と前記還状体部の還状内縁の一部から還の中心方向に延在する延在部とを備えたことを特徴とする便座シートペーパー。
【請求項２】
延在部は、少なくとも当該延在部の先端側が便器内周面の一部に接することを特徴とする請求項１に記載の便座シートペーパー。
【請求項３】
延在部は、便座に座る利用者の体の前後方向に延在することを特徴とする請求項１又は請求項２に記載の便座シートペーパー。
【請求項４】
延在部は、便座に座る利用者の体の前から後に向かって延在することを特徴とする請求項１乃至請求項３の何れかに記載の便座シートペーパー。
【請求項５】
延在部は、帯状であることを特徴とする請求項１乃至請求項４の何れかに記載の便座シートペーパー。
【請求項６】
還状体部と延在部とは便座シートペーパーの原紙をカットして一体整形されたことを特徴とする請求項１乃至請求項５の何れかに記載の便座シートペーパー。
【請求項７】
便座シートペーパーは水溶性であることを特徴とする請求項１乃至請求項６の何れかに記載の便座シートペーパー。
【請求項８】
便座と当該便座を覆う便蓋と当該便蓋の内面側に自動便座シートペーパー供給手段とを備えた自動給紙便器において、
前自動便座シートペーパー供給手段は、請求項１乃至請求項７の何れかに記載の便座シートペーパーを複数枚保持し１枚ずつ供給できる手段であることを特徴とする自動給紙便器。
【請求項９】
自動便座シートペーパー供給手段は便座シートペーパーを複数枚保持するペーパー保持手段を有し、このペーパー保持手段は、少なくとも、保持された状態において延在部の垂れ下がりを阻止する延在部保持装置を備えていることを特徴とする請求項８に記載の自動給紙便器。
【請求項１０】
延在部保持装置は、帯状の延在部を下支えすると共に下支え状態から延在部のすり抜けを許す受部材であることを特徴とする請求項９に記載の自動給紙便器。
【請求項１１】
該受部材は、複数枚の便座シートペーパーをペーパー保持手段に保持させる際に、ペーパー保持手段から少なくとも一部が離脱するよう係脱自在に構成されたことを特徴とする請求項１０に記載の自動給紙便器。
【請求項１２】
便座は、ペーパー保持手段に保持された便座シートペーパーを便座に吸着する吸気手段を有することを特徴とする請求項１１に記載の自動給紙便器。
【請求項１３】
吸気手段は、便座の表面に明けられた無数の吸気孔と、当該吸気孔を介して便座表面のエアを便座内部に取り込むエアポンプとで構成されたことを特徴とする請求項１２に記載の自動給紙便器。
【請求項１４】
請求項８乃至請求項１３の何れかに記載の自動給紙便器は、当該便器への利用者の接近を検知する対人センサと、当該対人センサの検知信号に基づいて吸気手段を作動させる制御手段とを備えたことを特徴とする自動給紙便器。
【請求項１５】
請求項８乃至請求項１３の何れかに記載の自動給紙便器は、当該便器への利用者の接近を検知する対人センサと、便座への利用者の着座を検知する着座センサと、前記対人センサの検知信号に基づいて吸気手段を作動させ前記着座センサの検知信号に基づいて前記吸気手段の作動を停止させる制御手段とを備えたことを特徴とする自動給紙便器。
【請求項１６】
請求項８乃至請求項１３の何れかに記載の自動給紙便器は、当該便器への利用者の接近を検知する対人センサと、便座からの利用者の離座を検知する着座センサと、前記対人センサの検知信号に基づいて吸気手段を作動させ前記着座センサの離座検知信号に基づいて前記吸気手段の作動を停止させる制御手段とを備えたことを特徴とする自動給紙便器。
【請求項１７】
請求項８乃至請求項１３の何れかに記載の自動給紙便器は、貯水タンク内の水を便器に放水する放水手段を備え、着座センサの離座検知信号に基づいて前記放水手段をして放水させる制御手段を備えたことを特徴とする請求項１５又は請求項１６に記載の自動給紙便器。
【発明の詳細な説明】
【技術分野】
【０００１】
本発明は、便座シートペーパーとその便座シートペーパーを複数枚保持し１枚ずつ供給する自動便座シートペーパー供給手段を備えた自動給紙便器とに関するものである。
【背景技術】
【０００２】
便座に直接座る形式の便器（洋便器）においては、衛生上の観点から便座に使い捨てのペーパー即ち便座シートペーパーを敷くようになってきた。
この種のペーパーは、当初、利用者が自ら便座に敷いていたが、利用者が手を下さずに自動的に便座に供給する自動給紙便器も提案されている。
【実用新案文献１】
【０００３】
実用新案登録第３０１３４７７号公報
【実用新案文献２】
【０００４】
実用新案登録第３０７２６４８号公報
【発明の開示】
【発明が解決しようとする課題】
【０００５】
ペーパーを利用者が自ら便座に敷く場合は勿論、利用者が手を下さずに自動的に便座に供給する自動給紙便器においても、使用後に便座上に残されたペーパーの撤去処分は、利用者が直接手を下して、備え付けの容器に投入したり、便器内に投入して流し捨てるものであった。
【０００６】
本発明は、利用者が直接手を下さずに、便座上に残されたペーパーを自動的に処分できる便座シートペーパーとそのペーパーを用いた自動給紙便器の提供を目的とするものである。
【課題を解決するための手段】
【０００７】
請求項１の発明は、還状の便座に乗せて使用される便座シートペーパーにおいて、前記便座シートペーパーは、前記便座に乗る還状体部と前記還状体部の還状内縁の一部から還の中心方向に延在する延在部とを備えたことを特徴とする。
【０００８】
請求項２の発明は、請求項１に記載の便座シートペーパーにおいて、延在部は少なくとも当該延在部の先端側が便器内周面の一部に接することを特徴とする。
【０００９】
請求項３の発明は、請求項１又は請求項２に記載の便座シートペーパーにおいて、延在部は便座に座る利用者の体の前後方向に延在することを特徴とする。
【００１０】
請求項４の発明は、請求項１乃至請求項３の何れかに記載の便座シートペーパーにおいて、延在部は便座に座る利用者の体の前から後に向かって延在することを特徴とする。
【００１１】
請求項５の発明は、請求項１乃至請求項４の何れかに記載の便座シートペーパーにおいて、延在部は帯状であることを特徴とする。
【００１２】
請求項６の発明は、請求項１乃至請求項５の何れかに記載の便座シートペーパーにおいて、還状体部と延在部とは便座シートペーパーの原紙をカットして一体整形されたことを特徴とする。
【００１３】
請求項７の発明は、請求項１乃至請求項６の何れかに記載の便座シートペーパーにおいて、便座シートペーパーは水溶性であることを特徴とする。
【００１４】
請求項８の発明は、便座と当該便座を覆う便蓋と当該便蓋の内面側に自動便座シートペーパー供給手段とを備えた自動給紙便器において、前自動便座シートペーパー供給手段は、請求項１乃至請求項７の何れかに記載の便座シートペーパーを複数枚保持し１枚ずつ供給できる手段であることを特徴とする。
【００１５】
請求項９の発明は、請求項８に記載の自動給紙便器において、自動便座シートペーパー供給手段は便座シートペーパーを複数枚保持するペーパー保持手段を有し、このペーパー保持手段は、少なくとも、保持された状態において延在部の垂れ下がりを阻止する延在部保持装置を備えていることを特徴とする。
【００１６】
請求項１０の発明は、請求項９に記載の自動給紙便器において、延在部保持装置は、帯状の延在部を下支えすると共に下支え状態から延在部のすり抜けを許す受部材であることを特徴とする。
【００１７】
請求項１１の発明は、請求項１０に記載の自動給紙便器において、該受部材は複数枚の便座シートペーパーをペーパー保持手段に保持させる際に、ペーパー保持手段から少なくとも一部が離脱するよう係脱自在に構成されたことを特徴とする。
【００１８】
請求項１２の発明は、請求項１１に記載の自動給紙便器において、便座はペーパー保持手段に保持された便座シートペーパーを便座に吸着する吸気手段を有することを特徴とする。
【００１９】
請求項１３の発明は、請求項１２に記載の自動給紙便器において、吸気手段は便座の表面に明けられた無数の吸気孔と、当該吸気孔を介して便座表面のエアを便座内部に取り込むエアポンプとで構成されたことを特徴とする。
【００２０】
請求項１４の発明は、請求項８乃至請求項１３の何れかに記載の自動給紙便器は、当該便器への利用者の接近を検知する対人センサと、当該対人センサの検知信号に基づいて吸気手段を作動させる制御手段とを備えたことを特徴とする。
【００２１】
請求項１５の発明は、請求項８乃至請求項１３の何れかに記載の自動給紙便器は、当該便器への利用者の接近を検知する対人センサと、便座への利用者の着座を検知する着座センサと、前記対人センサの検知信号に基づいて吸気手段を作動させ前記着座センサの検知信号に基づいて前記吸気手段の作動を停止させる制御手段とを備えたことを特徴とする。
【００２２】
請求項１６の発明は、請求項８乃至請求項１３の何れかに記載の自動給紙便器は、当該便器への利用者の接近を検知する対人センサと、便座からの利用者の離座を検知する着座センサと、前記対人センサの検知信号に基づいて吸気手段を作動させ前記着座センサの離座検知信号に基づいて前記吸気手段の作動を停止させる制御手段とを備えたことを特徴とする自動給紙便器。
【００２３】
請求項１７の発明は、請求項１５又は請求項１６に記載の自動給紙便器において、請求項８乃至請求項１３の何れかに記載の自動給紙便器は、貯水タンク内の水を便器に放水する放水手段を備え、着座センサの離座検知信号に基づいて前記放水手段をして放水させる制御手段を備えたことを特徴とする。
【発明の効果】
【００２４】
請求項１乃至請求項１７の各発明によれば、便座上に残された便座シートペーパーは、便器内に垂れた延在部が先ず放水された流水に引き込まれて行くことにより、当該延在部に連なる還状体部（従来の便座シートペーパー）も、ついには流水に引き込まれて行くので、利用者が手を下さずとも、自動的に撤去処分される。
【００２５】
請求項２の発明によれば、延在部の先を便器内周面に接しさせているので、便座シートペーパーを流水によって引き込ませる確実性をより高めることができる。
【００２６】
請求項４の発明によれば、延在部を帯状としているので、便座シートペーパーを流水によって引き込ませる確実性をより高めることができる。
【００２７】
請求項６の発明によれば、便座シートペーパーを構成する還状体部と延在部とを一体的に形成しているので、ペーパーの整形が容易であり且つ経済的になると共に、延在部が流水に引き込まれる際における還状体部との一体性を高めることができ、還状体部を流水に引き込ませる確実性をより高めることができる。
【００２８】
請求項８乃至請求項１７の各発明によれば、利用者は全く手を下すことなく、便座シートペーパーを便座上に敷いてから撤去処分まで、全て自動的に行うことができる。
【００２９】
請求項８乃至請求項１０の各発明によれば、延在部を放水に触れさせない状態で便座シートペーパーを便蓋の裏面側に保持させることができる。
【００３０】
請求項１１の発明によれば、受部材が係脱自在に設けられているので、便蓋裏面への便座シートペーパーのセット作業を容易に行うことができる。
【００３１】
請求１２乃至請求項１３の各発明によれば、便座シートペーパーは便座にエアにて吸着されるので、便座シートペーパーを接着剤等の手段によって吸着させる場合に較べて、接着剤の劣化に伴う接着不良による利用不能の便器の発生や接着剤の交換の手間等を解消することができる。
【００３２】
請求１４乃至請求項１７の各発明によれば、便器が利用される際にシステムを作動させるので、省エネルギー化を図ることができる。
【００３３】
請求項１７の発明によれば、利用者が便座から離れるだけで、自動的に放水され、便器内を洗浄することができる。
【発明を実施するための最良の形態】
【００３４】
以下、本発明に係る便座シートペーパーと自動給紙便器とを、便座と当該便座を覆う便蓋と当該便蓋の内面側に自動便座シートペーパー供給手段とを備えた自動給紙便器に基づいて説明する。
【実施例１】
【００３５】
先ず、実施例１おいて、便座シートペーパーを図１及び図２に基づいて説明する。図１は便座シートペーパーを上から見下ろした平面図、図２は便座シートペーパーが便座に乗せられた状態を示す側面図である。
【００３６】
図１において、便座シートペーパー１０は便座（図示せず）の上に乗せられる還状体部１１と、この還状体部１１の還状内縁の一部から還の中心方向に向かって延在する延在部１２とを備えた形態としている。
還状体部１１は、従来の便座シートペーパー（図示せず）と同様の形態のものであり、細部の形状の異同に拘わらず、要は、還状の便座の上面に乗る形状のものであればよい。
【００３７】
図１及び図２において、延在部１２は、還状体部１１が便座２１に乗った状態において、自重によって自然に垂れた延在部１２の少なくとも先端側が便器２０の内周面の一部に接するか、或いは、接するほどに近接する長さの形状に整形している。要は、延在部１２が自然に垂れた状態において、便器２０内に放水された流水（図示せず）に、延在部１２の先端側が触れて引き込まれ得る長さ及び形状であればよい。
【００３８】
実施例１の延在部１２は、便座２１に座る利用者の体の前から後に向かって、体の前後方向に延在するよう帯状に整形してあるが、これに限らず、体の後から前に向かって延在させてもよいし、体の左右方向から向かい合わせに２本の帯が延在するように設けてもよい。
【００３９】
又、還状体部１１と延在部１２とは便座シートペーパーの原紙（図示せず）をカットして図1に示すように一体整形してある。
このように整形すると、ペーパーの整形が容易であり且つ経済的になると共に、延在部が流水に引き込まれる際における還状体部との一体性を高めることができ、還状体部を流水に引き込ませる確実性をより高めることができる。
【００４０】
便座シートペーパー１０は、トイレットペーパーと同様な水溶性に加工しておくと、使用後にトイレットペーパーと同様に便器内に投棄できる。本発明に係る便座シートペーパー１０は便器２０内に投棄することを前提としており、この点に、本発明に係る便座シートペーパー１０の特徴の一つがある。
【実施例２】
【００４１】
次に、実施例２において、便座と当該便座を覆う便蓋と当該便蓋の内面側に自動便座シートペーパー供給手段とを備えた自動給紙便器を、図３乃至図６に基づいて説明する。
図３は自動給紙便器（単に便器ともいう）の側面図、図４は自動給紙便器の外観斜視図、図５は便蓋に自動便座シートペーパー供給手段がセットされた状態の底面図、図６は便座と自動便座シートペーパー供給手段の縦断面図、図７は利用者の使用状態を示す説明図である。
【００４２】
図３及び図４において、符号２０は自動給紙便器（単に便器とも言う）であり、この自動給紙便器は、便座２１と当該便座２１を覆う便蓋２２と当該便蓋２２の内面側即ち底面側に設けられた自動便座シートペーパー供給手段３０とを備えている。
尚、図中の符号４０は吸気手段、図４中の符号２３は貯水タンクである。
【００４３】
自動便座シートペーパー供給手段３０（単にペーパー供給手段ともいう）は、実施例1で説明した便座シートペーパー１０を複数枚の束（以下、この束をも便座シートペーパー１０という）毎保持するものであって、必要に応じて、１枚ずつ、便座１０上に供給する手段である。
この自動便座シートペーパー供給手段３０は、便座シートペーパー１０を複数枚保持するためのペーパー保持手段３１を備えている。
【００４４】
実施例２のペーパー保持手段３１は、従来に無い特異な形態、即ち延在部１２を備えた還状体部１１とからなる便座シートペーパー１０を、便器２０内に放水される流水に触れないように保持させるために、従来のこの種のペーパー保持手段（図示せず）が有する還状体部１１の保持手段のみでは足らず、還状体部１１即ち従来の便座シートペーパー（図示せず）が保持された状態において、少なくとも、延在部１２の垂れ下がりを阻止する延在部保持装置５０が設けられている。
【００４５】
図３及び図６において、延在部保持装置５０は、この実施例では、帯状の延在部１２を下支えすると共に下支え状態から延在部１２のすり抜けを許すよう当該帯状の延在部１２の幅方向において、断面コ字状に形成された受部材（５０）で構成されている。
【００４６】
図５に示すように、この断面コ字状の受部材（５０）は、延在部１２の長さ方向（延在方向）に延在する長さを備えており、延在部１２の先端側から延在部１２の基部側へ向けて、当該延在部１２の先端側をペーパー保持手段３１に保持させるように構成されている。
更にこの受部材５０は、便蓋２２の裏面のペーパー保持手段３１への便座シートペーパー１０のセット作業即ち収納作業を容易に行わせるため、ペーパー保持手段３１から少なくとも受部材５０の一部が離脱するよう係脱自在に構成しておくとよい。
【００４７】
図６に示すように、この実施例２では、延在部１２の先端側の受部材５０の端部が回動自在にペーパー保持手段３１に軸着され、受部材の他端側即ち延在部１２の基部側が、ペーパー保持手段３１と係脱自在に係合する自由端としてある。
このように構成しておくことによって、便座シートペーパー１０の束をセットする際には、この自由端側を開放することで、便座シートペーパー１０のセット作業を容易且つ迅速に行うことができる。
【実施例３】
【００４８】
上記実施例２で説明した自動給紙便器２０は、ペーパー保持手段３１に保持された便座シートペーパー１０を、一枚ずつ便座２１に吸着させる吸気手段５０を備えている。
図６に示すように、この吸気手段４０は、便座２１の表面に明けられた無数の吸気孔４１と、当該吸気孔４１を介して便座２１の表面のエアを便座２１の内部に設けられた還状通気路４２を経て取り込むエアポンプ（図示せず）とで構成されている。
尚、図３及び図４に示す符号４０（４３）に示すダクトは還状通気路４２とエアポンプとを連通させる通気路である。
【００４９】
このように構成すれば、便座シートペーパー１０は便座２１にエアにて吸着されるので、便座シートペーパーを接着剤等の手段によって吸着させる従来の手法に較べて、接着剤の劣化に伴う接着不良による利用不能の便器の発生や接着剤の交換の手間等を解消することができる。
【実施例４】
【００５０】
実施例４は、上記実施例１及び３で説明した本発明に係る便座シートペーパー１０を用いた自動給紙便器２０の設置環境を更に自動システム化した例を示すもので、便器２０が利用される際に吸気手段４０等の当該便器２０に係るシステム全体を図示されていない中央制御手段（以下、単に制御手段ともいう）の制御下におき、省エネルギー化と利用者の利便性の向上を図ったものである。
【００５１】
図７において、６０はトイレ室、６１はトイレ室６０の天井に設置された対人センサである。
この対人センサ６１は、便器２０に利用者が接近或いは立ち去ったことを検知するもので、例えば、利用者が検知エリア内、この例では、トイレ室６０に入るとその旨の検知信号即ち便器接近信号を出力し、エリア外即ちトイレ室６０から利用者が立ち去るとその旨の検知信号即ち便器離脱信号を出力する。
【００５２】
又、符号６２は便座２１に設けられた着座センサとしての例えば圧力センサであり、利用者が着座するとその旨の検知信号即ち着座信号を出力し、利用者が便座から離れるとその旨の検知信号即ち離座信号を出力する。尚、この着座センサに代えて単なるスイッチを用いてもよい。
又、貯水タンク２３には、便器２０内への放水路（図示せず）の途中に放水手段２４として例えば電磁弁が設けられている。
【００５３】
図示されていない制御手段は、前記対人センサ６１や着座センサ６２からの検知信号に基づいて、前記吸気手段４０や放水手段２４を次のように制御する。
即ち、先ず、利用者がトイレ室６０に入ると対人センサ６１がこれを検知して便器接近信号を出力する。
【００５４】
次に、制御手段は、この対人センサ６１からの便器接近信号に基づいて、吸気手段４０を作動（始動）させる。吸気手段４０は、便蓋２２が閉じられている状態下で、即ち、便蓋２２の内面に設けられたペーパー保持手段３１に保持されている複数枚の便座シートペーパー１０の内、便座２１の表面に接している１枚の便座シートペーパー１０をエアの吸引力によって便座２１の表面に吸着させる。
【００５５】
こうして、便座シートペーパー１０が便座２１の表面に吸着させられている状態下で、利用者が便蓋２２を引き上げると、１枚の便座シートペーパー１０のみが便座２１に吸着された状態で残される。
従って、利用者は便座シートペーパー１０に何ら手を下す必要が無い。しかも、便座シートペーパー１０はただ単に便座２１に乗せられているのではなく、
エアで吸着されているため、利用者が座る際に位置ズレを生じ難く、利用者は便座シートペーパー１０の位置ズレを気にすることなく、座ることができる。
【００５６】
利用者が便座２１に座ると、着座センサ６２がこれを検知して着座信号を出力する。制御手段はこの着座信号に基づいて、吸気手段４０の作動を停止させる。そして、利用者が用を済ませて立ち上がると、着座センサ６２は離座信号を出力する。
【００５７】
制御手段はこの離座信号に基づいて、放水手段２４に放水信号を出力して、所定時間或いは所定量の水を放水させる。
この放水により便座２３上の便座シートペーパー１０は延在部１２を介して流水に巻き込まれる。
従って、この例によれば、利用者は便座シートペーパー１０を便座に敷いたり、撤去処分したりする必要が無いばかりか、放水の手間をも省くことができる。
【実施例５】
【００５８】
上記実施例４では、着座センサ６２の着座信号に基づいて制御手段が吸気手段４０の作動を停止さたが、この実施例５では、停止させることなく引き続き作動させ、利用者が便座２１に座っている間中吸気手段４０を作動させてもよい。
これにより、利用者が便座２１に座っている間、便座シートペーパー１０は便座２１に吸着しているため、便座シートペーパー１０の位置ズレを抑制させることができる。
この場合、利用者が便座２１から離れた際の離座信号に基づいて制御手段が吸気手段４０の作動を停止させることになる。
【００５９】
以上のように、便器２０の設置環境をシステム化することによって、利用者は何ら便座シートペーパー１０に手を下さずに、便座シートペーパー１０が自動的に設置され、使用後には放水により自動的に便座２１から便座シートペーパー１０が便器内に自動的に引き込まれる。
【産業上の利用可能性】
【００６０】
本発明は自動給紙手段を備えた便器に広く利用することができる。
【図面の簡単な説明】
【００６１】
【図１】図１は便座シートペーパーを上から見下ろした平面図である。（実施例１）
【図２】図２は便座シートペーパーが便座に乗せられた状態を示す側面図である。（実施例１）
【図３】自動給紙便器（便器）の側面図である。（実施例２、実施例３）
【図４】自動給紙便器の外観斜視図である。（実施例２、実施例３）
【図５】便蓋に自動便座シートペーパー供給手段がセットされた状態の底面図である。（実施例２、実施例３）
【図６】便座と自動便座シートペーパー供給手段の縦断面図である。（実施例２、実施例３）
【図７】利用者の使用状態を示す説明図である。（実施例４，実施例５）
【符号の説明】
【００６２】
１０  便座シートペーパー
１１  還状体部（便座シートペーパー）
１２  延在部（便座シートペーパー）
２０  自動給紙便器（便器）
２１  便座
２２  便蓋
２４  放水手段
３０  自動給紙手段
３１  ペーパー保持手段（自動給紙手段）
４０  吸気手段
４１  吸気孔
６１  対人センサ
６２  着座センサ
【図１】
2006311870.tif 000003
【図２】
2006311870.tif 000004
【図３】
2006311870.tif 000005
【図４】
2006311870.tif 000006
【図５】
2006311870.tif 000007
【図６】
2006311870.tif 000008
【図７】
2006311870.tif 000009